(57)【要約】 【課題】  携帯電話機のカバーをスライディング移動で開閉させるスライドモジュールが、バネの弾性力を利用した構造により、カバーの開閉動作が明確に認識され、かつ開閉動作が円滑に行われるようにした。  【解決手段】  本発明は、キーパッドが装着される本体と、本体に前後方向へスライディング移動可能に結合され表示窓が装着されるカバーと、カバー下側に装着される上部プレートと、本体上側に装着され、上部プレートがスライディング移動可能に結合される下部プレートと、上部プレートと下部プレートとの間に回転可能に装着され、上部プレートを下部プレートに対し前後方向へスライディング移動させる回転プレートと、一端が回転プレートに固定され他端が下部プレート上面に流動可能に支持され、上部プレートのスライディング移動の際、回転プレートを弾性支持する弾性支持手段と、上部プレートと下部プレートとに形成され下部プレートに対し上部プレートのスライディング移動を制限するストッパー手段とを備える。  【選択図】  図３
2005124116.tif 000002
【特許請求の範囲】
【請求項１】
キーパッドが装着される本体；
前記本体に前後方向へスライディング移動可能に結合され表示窓が装着されたカバー；
前記カバー下側に装着される上部プレート；
前記本体上側に装着され、前記上部プレートがスライディング移動可能に結合される下部プレート；
前記上部プレートと下部プレートとの間に回転可能に装着され、前記上部プレートを前記下部プレートに対し前後方向へスライディングさせる回転プレート；
一端が前記回転プレートに固定され、他端が前記下部プレート上面に流動可能に支持され、前記上部プレートのスライディング移動の際、前記回転プレートを弾性支持する弾性支持手段；及び
前記上部プレートと下部プレートとに形成され、前記下部プレートに対して前記上部プレートのスライディング移動を制限するストッパー手段と、を備えることを特徴とする携帯電話機のカバー開閉装置。
【請求項２】
キーパッドが装着される本体；
前記本体に前後方向へスライディング移動可能に結合され表示窓が装着されるカバー；
前記本体上面に形成された結合溝に回転可能に装着され、前記カバーを前記本体に対して前後方向へスライディング移動させる回転プレート；
一端が前記回転プレートに固定され他端が前記結合溝の底面に流動可能に支持され、前記カバーのスライディング移動の際、回転される前記回転プレートを弾性支持する弾性支持手段；及び
前記本体とカバーに形成され、本体に対して開閉されるカバーのスライディング移動を制限するストッパー手段と、を備えることを特徴とする携帯電話機のカバー開閉装置。
【請求項３】
第１項において、前記弾性支持手段は；
前記回転プレートに一端が結合され前記回転プレートの回転時連動される一対の連動バー；
前記連動バーの外周面に装着され前記連動バーの流動の際、収縮及び拡張されるバネ部材；
前記連動バーの他端部に固定され内側面が弧形状に形成される支持片；及び
前記下部プレートの上面に対向して装着され、前記支持片の内側面に面接触される支持面が形成された固定部と、を含むことを特徴とする携帯電話機のカバー開閉装置。
【請求項４】
第２項において、前記弾性支持手段は；
前記回転プレートに一端が結合され前記回転プレートの回転の際、連動される一対の連動バー；
前記連動バーの外周面に装着され前記連動バーの流動の際、収縮及び拡張されるバネ部材；
前記連動バーの他端部に固定され内側面に弧形状に形成される支持片；及び
前記本体の結合溝の底面に対向するように装着され、前記支持片の内側面に面接触される支持面が形成された固定部と、を含むことを特徴とする携帯電話機のカバー開閉装置。
【請求項５】
第１項において、前記ストッパー手段は；
前記上部プレートの前後方両側に形成される引掛け溝と固定溝；及び
前記下部プレートの底面に突出形成され、前記引掛け溝と固定溝とが結合され、前記上部プレートの移動を制限するストッパーと、を備えることを特徴とする携帯電話機のカバー開閉装置。
【請求項６】
第１項において、前記上部プレートの底面に前記上部プレートの移動方向に対して直角に凹溝部が形成され、
前記凹溝部の内部において、スライディング移動の際、前記上部プレートをスライディング移動させる引掛け具が、前記回転プレートの一端に固定されることを特徴とする携帯電話機のカバー開閉装置。
【請求項７】
第２項において、前記カバーの内側面に前記カバーの移動方向に対し直角に凹溝部が形成され、
前記凹溝部の内部において、スライディング移動の際、前記カバーをスライディング移動させる引掛け具が前記回転プレートの一端に固定されることを特徴とする携帯電話機のカバー開閉装置。
【請求項８】
第２項において、前記ストッパー手段は、
前記カバーの内側面前後方向の左右両側に一体型に形成される引掛け溝と固定溝；及び
前記結合溝の底面に突出形成され、前記引掛け溝と固定溝とが結合され前記カバーの移動を制限するストッパーと、を備えることを特徴とする携帯電話機のカバー開閉装置。
【請求項９】
第１項において、前記上部プレートの左右両側面に形成されるフランジ部；
前記フランジ部に対応されるように前記下部プレートに形成され、前記下部プレートに対してスライディング移動される前記上部プレートを支持するガイドレールを備えることを特徴とする携帯電話機のカバー開閉装置。
【請求項１０】
第１項において、前記下部プレートの上面に突出形成され前記回転プレートを前記下部プレートより離隔させて円滑に回転させるガイド顎を備えることを特徴とする携帯電話機のカバー開閉装置。
【請求項１１】
第２項において、前記本体の結合溝の底面に突出形成され、前記回転プレートを前記結合溝の底面より離隔させ円滑に回転させるガイド顎を備えることを特徴とする携帯電話機のカバー開閉装置。
【請求項１２】
キーパッドが装着される本体；
前記本体に前後方向へスライディング移動可能に結合され表示窓が装着されるカバー；
前記カバー下側面に装着され、第１ギアが底面に形成される上部プレート；
前記本体上側面に装着され、前記上部プレートがスライディング移動可能に結合され、前記第１ギアと噛み合わさる第２ギアが回転可能に装着される下部プレート；
一端が前記第２ギアに固定され他端が下部プレート上面に流動可能に支持され、  前記上部プレートのスライディング移動の際に第１ギアを弾性支持する弾性支持  手段；及び
前記上部プレートと下部プレートとに形成され、前記下部プレートに対し上部プレートのスライディング移動を制限するストッパー手段と、を備えることを特徴とする携帯電話機のカバー開閉装置。
【請求項１３】
キーパッドが装着される本体；
前記本体に前後方向へスライディング移動可能に結合され表示窓が装着されるカバー；
前記カバー内側面に一体に形成される第１ギア；
前記本体上面に形成された結合溝に回転可能に装着され、前記第１ギアと噛み合って前記カバーを本体に対し前後方向へスライディングさせる第２ギア；
一端が前記第２ギアに固定され他端が結合溝の底面に流動可能に支持され、前記カバーのスライディング移動の際、前記第２ギアを弾性支持する弾性支持手段；及び
前記カバー底面に形成され前記本体に対しカバーのスライディング移動を制限するストッパー手段と、を備えることを特徴とする携帯電話機のカバー開閉装置。
【請求項１４】
第１２項において、前記弾性支持手段は；
前記第２ギアに一端が結合され前記第２ギアの回転の際に連動され一対の連動バー；
前記連動バーの外周面に装着され前記連動バーの流動時に収縮及び拡張されるバネ部材；
前記連動バーの他端部に固定され外側面が弧形状に形成される支持片；及び
前記下部プレート上面に対向するように装着され、前記支持片の外側面に面接触される支持面が形成された固定部と、を含むことを特徴とする携帯電話機のカバー開閉装置。
【請求項１５】
第１２項において、前記ストッパー手段は、
前記上部プレート前後方向の左右両側に形成される引掛け溝と固定溝；及び
前記下部プレートの底面に突出形成され、前記引掛け溝と固定溝が結合され前記上部プレートのスライディング移動を制限するストッパーと、を備えることを特徴とする携帯電話機のカバー開閉装置。
【請求項１６】
第１３項において、前記ストッパー手段は、
前記カバーの内側面の下方へ突出形成され、前記カバーのスライディング移動の際、前記結合溝の側面に接触され前記カバーのスライディング移動を制限するストッパーを備えることを特徴とする携帯電話機のカバー開閉装置。
【請求項１７】
第１２項において、前記上部プレートの左右両側面に形成されるフランジ部；および
前記フランジ部に対応されるよう前記下部プレートに形成され、前記下部プレートに対しスライディング移動される前記上部プレートを支持するガイドレールと、を備えることを特徴とする携帯電話機のカバーの開閉装置。
【請求項１８】
第１７項において、前記下部プレートに対し前記上部プレートを固定させるロッキング手段は；
前記上部プレートのフランジ部に外側へ突出形成される引掛け突起；および
前記引掛け突起に対応されるよう前記下部プレートのガイドレール内側に少なくとも一つ以上形成されるロッキング溝と、を備えることを特徴とする携帯電話機のカバー開閉装置。
【請求項１９】
第１２項において、前記第１ギアはラックギアで形成され、前記第２ギアはピニオンギアで形成されることを特徴とする携帯電話機のカバー開閉装置。
【請求項２０】
第１３項において、前記弾性支持手段は；
前記第２ギアに一端が結合され前記第２ギアの回転時に連動される一対の連動バー；
前記連動バーの外周面に装着され前記連動バーの流動の際、収縮及び拡張されるバネ部材；
前記連動バーの他端部に固定され外側面に弧形状に形成される支持片；及び
前記本体の結合溝の底面に対向するように装着され、前記支持片の外側面に面接触される支持面が形成された固定部と、を含むことを特徴とする携帯電話機のカバー開閉装置。
【発明の詳細な説明】
【技術分野】
【０００１】
本発明は、カバーが本体に対し前後方向へスライディング移動され開閉されるようにした携帯電話機のカバー開閉装置に関する。
さらに詳細には、本体に対するカバーのスライディング移動がバネの弾性力により円滑に行われ、カバーの開閉動作が明確に分かるようにした携帯電話機のカバー開閉装置に関するものである。
【背景技術】
【０００２】
一般に、携帯電話機は本体とカバーとに構成され、本体に対するカバーの開閉方式によってバータイプ、フリップタイプ並びにフォルダタイプ等とに区分される。
【０００３】
バータイプの携帯電話機は、キーパッドが外部に露出されるので、キーパッドが簡単に損傷され得る恐れがあることから、これを解決する為に、フリップタイプ携帯電話機が提案されたが、これは本体が長いことから、使用者が携帯にするのに不便という短所がある。
【０００４】
バー及びフリップ型方式の短所を補完する為、フォルダタイプの携帯電話機が提案されたが、携帯電話機を携帯する際にフォルダを開いたり、閉じたりする動作によるカバーと本体との連結部位である、ヒンジ部位が簡単に損傷され得る。
【０００５】
このように、フォルダタイプの携帯電話機の短所を克服する為、スライドタイプの携帯電話機が提案された（図１に図示した）。スライドタイプの携帯電話機は上側に多数個のキー入力ボタンを有するキーパッド（１ａ）が備えられた本体（１）と、本体（１）の上側にスライディング移動可能に結合されるカバー（２）とに分けられる。
【０００６】
カバー（２）上側にＬＣＤ液晶画面が装着され、スライドモジュール（図示しない）により本体（１）上側に前後方向へスライディング移動可能に結合される。
【０００７】
従来スライドタイプの携帯電話機のスライドモジュールは、カバーを本体よりスライディング移動させる動作の際、これをガイドする部材がレール構造で形成されるため、外部衝撃が加わった場合、構造の特性上、スライディング構造が簡単に破損される恐れがあった。
【０００８】
スライドのタイプの携帯電話機は、スライディング移動による開閉の際、使用者が開閉完了状態を正確に認識することができず、使用上の不便さがあった。
大韓民国特許公開番号 第２００２-７４８７０号に「スライドモジュールを利用したスライド携帯電話機」が開示されている。
【０００９】
図２に示されたように、従来のスライドモジュールは、本体をスライドモジュール（３１２）に固定させるための固定台（４１２、４１３）がスライドモジュール（３１２）に装着され、カバーと本体とがスライディングされるようにするスライディング部材（４１０）と、本体に固定されスライディング部材（４１０）を支えるための軸受板（４２０）と、軸受板（４２０）に取り付けられたスライディング部材（４１０）を固定させて、スライディング部材（４１０）のスライディング移動をガイドするためのガイドゴホール（ｈ１）が形成された平面（４３１）を持つガイド板（４３０）とを備える。
【００１０】
スライド部材（４１０）は、ガイド板（４３０）により軸受板（１２０）に取り付けられる板バネ（４１１）と、スライドモジュール（３１２）に本体を固定させるために板バネ（４１１）を垂直に貫通して相互に離隔されるように形成された固定台（４１２、４１３）と、板バネ（４１１）と軸受板（４２０）間にボール（ball：４１５）が挿入されるように板バネ（４１１）の一定部分が隆起される隆起部（４１４）とから構成される。
【００１１】
軸受板（４２０）の底には、ボール（４１１）がロッキング結合されるよう二つのホール（ｈ４、ｈ５）が形成され、第１、２固定台（４１２、４１３）にはネジ（４０１、４０２）が挿入できるネジ溝が形成される。
【００１２】
従来スライドタイプの携帯電話機は、使用者がカバーを本体よりスライディング移動させる際、ボール（４１５）が軸受台（４２０）のホール（ｈ４、ｈ５）にロッキング結合されながら「かちゃ」という音が発生するようになっており、開閉動作を認識するようになる。
【００１３】
これにより、カバーのスライディング動作が完了されたことを認識できるが、開閉の際に騒音が発生したり、構造の特性上組立てが難しく、さらにカバーのスライディング動作がスムーズになされないという問題点を有する。
【発明の開示】
【発明が解決しようとする課題】
【００１４】
本発明の目的は、バネを利用した弾性力により本体からカバーをスライディングさせることによって、カバーを開閉させる動作が円滑に行われ、使用者が開閉されたカバーの状態を正確に認識することができ、使用上の便宜性を向上させた携帯電話機のカバー開閉装置を提供することにある。
【課題を解決するための手段】
【００１５】
前述した本発明目的は、キーパッドが装着される本体と、
本体に前後方向へスライディング移動可能に結合され表示窓が装着されたカバーと、
カバー下側に装着される上部プレートと、
本体上側に装着され、上部プレートがスライディング移動可能に結合される下部プレートと、
上部プレートと下部プレートとの間に回転可能に装着され、上部プレートを下部プレートに対し前後方向へスライディングさせる回転プレートと、
一端が回転プレートに固定され他端が下部プレート上面に流動可能に支持され、上部プレートのスライディングの際、回転プレートを弾性支持する弾性支持手段と、
上部プレートと下部プレートとに形成され、下部プレートに対して上部プレートのスライディング移動を制限するストッパー手段と、を備えることを特徴とする携帯電話機のカバー開閉装置を提供することにより達成される。
【００１６】
前述した本発明の目的は、キーパッドが装着される本体と、
本体に前後方向へスライディング移動可能に結合され表示窓が装着されるカバーと、
本体上面に形成された結合溝に回転可能に装着され、カバーを本体に対して前後方向へスライディング移動させる回転プレートと、
一端が回転プレートに固定され他端が結合溝の底面に流動可能に支持され、カバーのスライディング移動の際、回転される回転プレートを弾性支持する弾性支持手段と、
本体とカバーに形成され、本体に対して開閉されるカバーのスライディング移動を制限するストッパー手段と、を備えることを特徴とする携帯電話機のカバー開閉装置を提供することにより達成される。
【００１７】
望ましい実施例によれば、前記弾性支持手段は、
回転プレートに一端が結合され回転プレートの回転の際に連動される一対の連動バーと、連動バーの外周縁に装着され連動バーの流動の際、収縮及び拡張されるバネ部材と、連動バーの他端部に固定され内側面が弧形状に形成される支持片と、下部プレートの上面に対向されるように装着され、支持片の外側面に面接触される支持面が形成された固定部とを含む。
【００１８】
前記ストッパー手段は；
上部プレートの前後方両側に形成される引掛け溝及び固定溝と、下部プレートの底面に突出形成され、引掛け溝と固定溝とが結合され上部プレートの移動を制限するストッパーとを備える。
【００１９】
前述した上部プレートの底面に上部プレートの移動方向に対して直角に凹溝部が形成され、凹溝部の内部からスライディング移動の際、上部プレートをスライディング移動させる引掛け具が、回転プレートの一端に固定される。
【００２０】
前記上部プレート左右両側面に形成されるフランジ部と、フランジに対応されるよう下部プレートに形成され、下部プレートに対してスライディングされる上部プレートを支持するガイドレールを備える。
【００２１】
前記下部プレートの上面に突出形成され回転プレートを下部プレートより離隔させ、円滑に回転させるガイド顎を備える。
【００２２】
前述した本発明の目的は、キーパッドが装着される本体と、
本体に前後方向へスライディング移動可能に結合され表示窓が装着されるカバーと、
カバー下側面に装着され、第１ギアが底面に形成される上部プレートと、
本体上側面に装着され、上部プレートがスライディング移動可能に結合され、第１ギアと噛み合わさる第２ギアが回転可能に装着される下部プレートと、
一端が第２ギアに固定され他端が下部プレート上面に流動可能に支持され、上部プレートのスライディング移動時に第２ギアを弾性支持する弾性支持手段と、
上部プレートと下部プレートとに形成され、下部プレートに対し上部プレートのスライディング移動を制限するストッパー手段と、を備えることを特徴とする携帯電話機のカバー開閉装置を提供することにより達成される。
【００２３】
前述した本発明の目的は、キーパッドが装着される本体と、
本体に前後方向へスライディング移動可能に結合され表示窓が装着されるカバーと、
カバー内側面に一体に形成される第１ギアと、
本体上面に形成された結合溝に回転可能に装着され、前記第１ギアと噛み合ってカバーを本体に対し前後方向へスライディングさせる第２ギアと、
一端が前記第２ギアに固定され他端が結合溝の底面に流動可能に支持され、カバーのスライディング移動の際、第２ギアを弾性支持する弾性支持手段と、
カバー底面に形成され本体に対しカバーのスライディング移動を制限するストッパー手段と、を備えることを特徴とする携帯電話機の開閉装置を提供することにより達成される。
【００２４】
望ましい実施例によれば、前記弾性支持手段は、
第２ギアに一端が結合され第２ギアの回転時に連動される一対の連動バーと、連動バーの外周面に装着され連動バーの流動の際、収縮及び拡張されるバネ部材と、連動バーの他端部に固定され外側面が弧形状に形成される支持片と、下部プレート上面に対向するように装着され、支持片の外側面に面接触される支持面が形成される固定部とを含む。
【００２５】
前記下部プレートに対し上部プレートを固定させるロッキング手段は、
上部プレートのフランジ部に外側に突出形成される引掛け突起と、引掛け突起に対応するように下部プレートのガイドレール内側に少なくとも一つ以上形成されるロッキング溝を備える。
【００２６】
前記第１ギアにラックギアで形成され、第２ギアはピニオンギアで形成される。
【発明の効果】
【００２７】
本発明による携帯電話機のカバー開閉装置は、次のような利点をもつ。
スライディングタイプ携帯電話機のスライドモジュールがバネの弾性力を利用した構造により、使用者がカバーの開閉動作を正確に認識でき、かつカバーの開閉動作が円滑に行われ騒音を大幅に低減させることができる。
【発明を実施するための最良の形態】
【００２８】
次に、本発明の望ましい実施例を、添付図面を参照して詳細に説明するが、これは、本発明が属する技術分野において通常の知識を有する者が発明を容易に実施され得る程度で詳細に説明するものであって、これにより、本発明の技術的思想及び範疇が限定されることを意味するものではない。
【実施例１】
【００２９】
図３乃至図６に示されたように、本発明の第１実施例による携帯電話機のカバー開閉装置は、キーパッド（１ａ）が装着される本体（１）と、本体（１）に前後方向へスライディング移動可能に結合され、ＬＣＤ表示窓が装着されるカバー（２）と、本体（１）上側に装着される下部プレート（３０）とを備える。
【００３０】
下部プレート（３０）にスライディング移動可能に受容されカバー（２）の底面に装着される上部プレート（２０）と、上部プレート（２０）底面に上部プレート（２０）の移動方向に対し直角に形成される凹溝部（２５）とを備える。
【００３１】
凹溝部（２５）内部においてスライディング移動される引掛け具（５１）が一端に形成され、下部プレート（３０）の底面に、他端が回転可能に軸固定される回転プレート（５０）を備える。
【００３２】
回転プレート（５０）を下部プレート（３０）に固定する締結部材（９２）が結合される中孔（５３）が、回転プレート（５０）中央に形成されており、連動バー（６０）の一端が結合される通孔が、中孔に隣接して形成される。
【００３３】
一端が回転プレート（５０）に結合され、他端が下部プレート（３０）上面に流動可能に支持され、回転プレート（５０）回転の際連動される一対の連動バー（６０）と、連動バー（６０）内側面に装着され連動バー（６０）の流動際、収縮及び拡張されるバネ部材（６２）とを備える。
【００３４】
連動バー（６０）の外周縁両側に形成され、連動バー（６０）よりバネ部材（６２）の離脱を防止する固定突起（６０ａ）を備える。
【００３５】
連動バー（６０）の他端部に固定され、バネ部材（６２）の離脱を防止する、外側面が円弧形状に形成される支持片（６５）と、下部プレート（３０）上面に対向するように装着され、支持片（６５）外側面に面接触される支持面（７０ａ）が対向するように形成される第１、２固定片（７２、７４）からなる固定部（７０）とを備える。
【００３６】
前述した上部プレート（２０）のスライディング移動を制限するストッパー手段として、上部プレート（２０）の前後方両側に形成される引掛け溝（２２）及び固定溝（２４）と、底面から突出されるよう下部プレート（３０）の締結孔（３３）に結合され、引掛け溝（２２）と固定溝（２４）とが結合され上部プレート（２０）の移動を制限するストッパー（８０）とを備える。
【００３７】
上部プレート（２０）の左右両側面にフランジ（４２）が形成され、フランジ部（４２）に対応されるよう下部プレート（３０）に形成されスライディング移動される上部プレート（２０）を支持するガイドレール（４４）を備える。
【００３８】
下部プレート（３０）底面に突出形成され回転プレート（５０）を下部プレート（３０）から離隔させ円滑に回転させるガイド顎（３２）を備える。
【００３９】
下部プレート（３０）のガイドレール（４４）は、一体型で射出成形され得、ボルト等により一体型に結合され得る。
【００４０】
本発明の第１実施例による携帯電話機のカバー開閉装置の作動を添付図面を参照しながら説明すると、次の通りである。
【００４１】
使用者がカバー（２）を本体（１）の前方に押すと、カバー（２）に装着された上部プレート（２０）のフランジ（４２）は、下部プレート（３０）のガイドレール（４４）に乗り前方へスライディング移動される。
前記プレート（２０）の凹溝部（２５）に受容された引掛け具（５１）は、凹溝部（２５）内部から上部プレート（２０）の移動方向に対し直角方向へスライディング移動され、同時に回転プレート（５０）は下部プレート（３０）底面に結合された締結部材（９２）を中心軸にしてガイド顎（３２）に沿って時計方向へ回転される（図６ａ参照）。
【００４２】
図６ｂに示されたように、回転プレート（５０）の回転により上部プレート（２０）が下部プレート（３０）の中間位置までスライディング移動される場合、回転プレート（５０）の引掛け具（５１）は凹溝部（２５）の外側部位（図面上、外側を指す）に位置することになり、この時、連動バー（６０）外側に装着されるバネ部材（６２）は最も収縮される時点となる。
【００４３】
すなわち、回転プレート（５０）回転により連動される一対の連動バー（６０）は、図６ｂの図面上、上下方向を維持するようになるので、一側連動バー（６０）に結合されるバネ部材（６２）は収縮されるし、他側連動バー（６０）に結合されるバネ部材（６２）は拡張される相反作用を持つ。
【００４４】
これにより、一側連動バー（６０）は収縮されるが、バネ部材（６２）の弾性力を離れる時点（上部プレート（２０）の中間位置に移動されることをいう（図６ｂ参照）において、支持片（６５）が固定部（７０）の支持面（７０ａ）から逆時計方向へ回転されると、バネ部材（６２）が再び拡張される過程を有する。
【００４５】
これと反対に、他側連動バー（６０）は、上部プレート（２０）スライディング移動の際、バネ部材（６２）が拡張されていたが、上部プレート（２０）が中間位置に移動時収縮され、最大収縮位置から再びその範囲を離れた時、再び拡張される相反作用を有する。
【００４６】
上部プレート（２０）のスライディング移動時、バネ部材（６２）の弾性力により少し抵抗を持つスライディング移動がなされるが、最大収縮範囲を離れた時、再び弾性力によりスムーズにスライディング移動がなされるため、カバー（２）の開閉動作を、使用者が正確に認識することができる。
【００４７】
図６ａ及び図６ｃに示されたように、上部プレート（２０）のスライディング移動時一定位置に到達するようになると、引掛け溝（２２）がストッパー（８０）に結合されるため、上部プレート（２０）のスライディング移動を制限するようになる。
【００４８】
一方、本体（１）にカバー（２）を閉める動作は、前述したカバー（２）の開放される過程とは逆順で行われるので、これに対する詳細な説明は省略し、連動バー（６０）と回転プレート（５０）とは初期位置に復帰するようになる。
【実施例２】
【００４９】
図７乃至１０に示されたように、本発明の第２実施例による携帯電話機のカバー開閉装置は、キーパッド（１ａ）が装着される本体（１）と、
本体（１）に前後方向へスライディング移動可能に結合され表示窓が装着されるカバー（２）と、
本体（１）上面に形成された結合溝（１ｃ）に回転可能に装着され、カバー（２）を本体（１）に対し前後方向へスライディング移動させる回転プレート（５０）と、
一端が回転プレート（５０）に固定され他端が結合溝（１ｃ）底面に流動可能に支持され、カバー（２）のスライディング移動時回転される回転プレート（５０）を弾性支持する弾性支持手段と、
本体（１）とカバー（２）とに形成され本体（２）に対し開閉されるカバー（２）のスライディング移動を制限するストッパーと、を備える。
【００５０】
この時、前記回転プレート（５０）と、一対の連動バー（６０）及びストッパー（８０）等を本体（１）上面に形成された結合溝（１ｃ）に直接装着し、凹溝部（２５）と引掛け溝（２２）並びに固定溝（２４）とをカバー（２）内側面に直接装着したことを除く構成は、本発明の第１実施例に記載されたのと実質的に同様に適用されるので、詳細な説明は省略し、重複される図面符号は同様に表記する。
【００５１】
図９及び図１０に示されたように、本体（１）に対しカバー（２）を図面上、前方へ押すと、本体（１）の結合溝（１ｃ）内に形成される回転プレート（５０）が締結部材（９２）を中心軸にして逆時計方向へ回転される。
【００５２】
これにより、回転プレート（５０）の引掛け具（５１）がカバー（２）内側面に形成される凹溝部（２５）に沿ってスライディングされるので、カバー（２）は本体（１）に対し前方へスライディング移動される。
【実施例３】
【００５３】
図１１乃至図１５に示されたように、本発明の第３実施例による携帯電話機のカバー開閉装置は、キーパッド（１ａ）が装着される本体（１）と、
本体（１）に前後方向へスライディング起動可能に結合され表示窓に装着されるカバー（２）と、
カバー（２）下側面に装着され、第１ギア（２７）（一例として、ラックギアが使用された）が底面に形成される上部プレート（２０）と、
本体（１）上側面に装着され、上部プレート（２０）がスライディング移動可能に結合され、第１ギア（２７）と噛み合わさる第２ギア（５５）（一例として、ピニオンギアが使用された）が回転可能に装着される下部プレート（３０）と、
一端が第２ギア（５５）に固定され他端が下部プレート（３０）上面に流動可能に支持され、上部プレート（２０）のスライディング移動の際、第２ギア（５５）を弾性支持する弾性支持手段と、
上部プレート（２０）と下部プレート（３０）とに形成され、下部プレート（３０）に対し上部プレート（２０）のスライディング移動を制限するストッパー手段とを備える。
【００５４】
図１４及び１５に示されたように、前記カバー（２）を本体（１）に対し前方へスライディング移動させることによって、カバー（２）内側面に装着された上部プレート（２０）底面に装着される第１ギア（２７）が、本体（１）上部に装着された下部プレート（３０）上面に装着される第２ギア（５５）の回転により図面上、前方へ移動される。
【００５５】
これにより、カバー（２）は、本体（１）に対しスライディング移動され開放されるのである。
【００５６】
この時、前述した上部プレート（２０）内側面に形成される第１ギア（２７）と、下部プレート（３０）上面に第１ギア（２７）と噛み合わさるように回転可能に設置される第２ギア（５５）を除く構成は、本発明の第１実施例に記載されたのと実質的に同様であるため、詳細な説明は省略し、重複される図面図号は同様に表記する。
【００５７】
図１１に示されたように、本発明による携帯電話機のカバー開閉装置は、上部プレート（２０）と下部プレート（３０）とをロッキング手段により固定するが、ロッキング手段は、上部プレート（２０）の両側フランジ部（４２）外側に引掛け突起（４２ａ）が形成され、引掛け突起（４２ａ）に対応されるロッキング溝（４４ａ）が、下部プレート（３０）のガイドレール（４４）内側面に形成される。
【００５８】
上部プレート（２０）を最後まで押すと、引掛け溝（２２）がストッパー（８０）に干渉されることになり、引掛け突起（４２ａ）がロッキング溝（４４ａ）にロッキング結合されるので、カバー（２）が開放された状態を維持することができる。これにより、上部プレート（２０）のスライディング移動が完了された後に、使用者の意思に反して上部プレート（２０）が下側へ下りてくることを防止することができる。
【００５９】
使用者がカバー（２）を閉じる際には、引掛け突起（４２ａ）とロッキング溝（４４ａ）とのロッキング結合を解除するため、ロッキング結合力より一層大き力を与えてカバー（２）を降ろすと、引掛け突起（４２ａ）がロッキング溝（４４ａ）から離脱してスライディング復帰動作が可能となる。
【実施例４】
【００６０】
図１６乃至図１９に示されたように、本発明の第４実施例による携帯電話機のカバー開閉装置は、キーパッド（１ａ）が装着される本体（１）と、
本体（１）に前後方向へスライディング移動可能に結合され表示窓が装着されるカバー（２）と、
カバー（２）内側面に一体に形成される第１ギア（２７）と、
本体（１）上面に形成された結合溝（１ｃ）に回転可能に装着され、第１ギア（２７）と噛み合ってカバー（２）を本体（１）に対し前後方向へスライディング移動させる第２ギア（５５）と、
一端が第２ギア（５５）に固定され他端が結合溝（１ｃ）底面に流動可能に支持され、カバー（２）のスライディング移動の際、第２ギア（５５）を弾性支持する弾性支持手段と、カバー（２）底面に形成され本体（１）に対しカバー（２）のスライディング移動を制限するストッパー手段とを備える。
【００６１】
この時、前記第２ギア（５５）と一対の連動バー（６０）及び固定部（７０）等を本体（１）上面に形成された結合溝（１ｃ）に直接装着し、第１ギア（２７）をカバー（２）内側面に直接形成したことを除く構成は、本発明の第３実施例に記載されたのと実質的に同様に適用される為、これらの詳細な説明は省略し、重複される図面符号は同様に表記する。
【００６２】
図１８及び１９に示されたように、本体（１）に対しカバー（２）を図面上、前方へ押すと、本体（１）の結合溝（１ｃ）内に形成される第２ギア（５５）が締結部材（９２）を中心軸にして逆時計方向へ回転される。
これにより、第２ギア（５５）と噛み合わさるよう、カバー（２）内側面に形成される第１ギア（２７）が前方へ移動されるので、カバー（２）を本体（１）に対し前方へスライディング移動させるのである。
【産業上の利用可能性】
【００６３】
キーパッドが装着される本体に対しＬＣＤ表示窓が装着されるカバーが前後方向にスライディング移動可能に結合される携帯電話機のカバー開閉装置に関するものであって、
本体上面に形成された結合溝に回転可能に装着され、回転の際、カバーを本体に前後方向へスライディング移動させる回転プレートと、一端が回転プレートに固定され、他端が結合溝の底面に流動可能に支持され回転プレートを弾性支持する弾性手段と、カバーと本体とに形成されカバーのスライディング移動を制限するストッパー手段とを備える。
【図面の簡単な説明】
【００６４】
【図１】一般的なスライド式の携帯電話機を示した外観斜視図。
【図２】従来スライド式の携帯電話機のスライドモジュールを示した斜視図。
【図３】本発明の１実施例による携帯電話機のカバー開閉装置の概略的な分離斜視図。
【図４】図３に示されたカバー開閉装置の分解斜視図。
【図５】図３に示された下部プレートから上部プレートを分離させた状態の斜視図。
【図６ａ】図３に示された上部プレートを下部プレートに結合させた状態の図面。
【図６ｂ】図３に示された上部プレートが下部プレートの前方へスライディング移動されることを示した図面。
【図６ｃ】図３に示された上部プレートが下部プレートに対してスライディング移動された状態の図面。
【図７】本発明の第２実施例による携帯電話機のカバー開閉装置の分離斜視図。
【図８】図７に示された本体にカバーが結合された状態の図面。
【図９】図７に示されたカバーが本体の前方へ移動されることを示した図面。
【図１０】図７に示されたカバーが本体に対しスライディング移動された状態の図面。
【図１１】本発明の第３実施例による携帯電話機のカバー開閉装置の分解斜視図。
【図１２】図１１に示された下部プレートから上部プレートを分離させた状態の斜視図。
【図１３】図１１に示された上部プレートと下部プレートとをカバーと本体とに結合させた状態の図面。
【図１４】図１１に示されたカバーと本体とに対し前方へ移動されることを示した図面。
【図１５】図１１に示されたカバーが本体に対しスライディング移動された状態の図面。
【図１６】本発明の第４実施例による携帯電話機のカバー開閉装置の分離斜視図。
【図１７】図１６に示されたカバーが本体に結合された状態の図面。
【図１８】図１６に示されたカバーが本体に対し前方へスライディング移動されることを示す図面。
【図１９】図１６に示されたカバーが本体に対しスライディング移動された状態の図面である。
【符号の説明】
【００６５】
１     本体
２     カバー
２０   上部プレート
２２   引掛け溝
２４   固定溝
２５   凹溝
２７   ラックギア部
３０   下部プレート
４２   フランジ部
４２ａ 引掛け突起
４４   ガイドレール
４４ａ ロッキング溝
５０   回転プレート
５１   引掛け具
６０   連動バー
６２   バネ部材
６５   支持片
７０   固定部
７０ａ （固定部の）支持面
８０   ストッパー部
【図１】
2005124116.tif 000003
【図２】
2005124116.tif 000004
【図３】
2005124116.tif 000005
【図４】
2005124116.tif 000006
【図５】
2005124116.tif 000007
【図６ａ】
2005124116.tif 000008
【図６ｂ】
2005124116.tif 000009
【図６ｃ】
2005124116.tif 000010
【図７】
2005124116.tif 000011
【図８】
2005124116.tif 000012
【図９】
2005124116.tif 000013
【図１０】
2005124116.tif 000014
【図１１】
2005124116.tif 000015
【図１２】
2005124116.tif 000016
【図１３】
2005124116.tif 000017
【図１４】
2005124116.tif 000018
【図１５】
2005124116.tif 000019
【図１６】
2005124116.tif 000020
【図１７】
2005124116.tif 000021
【図１８】
2005124116.tif 000022
【図１９】
2005124116.tif 000023